(57)【要約】【課題】  発光ブロック体を用いることで極めて面白みに富んだものとできると共に、一層の変化性、意外性に富んだものとする。【解決手段】  透光性材によって立方体、直方体、円柱体等の所定の立体形状に構成し、一面に突起部２を設け、他の一面に突起部２を嵌入する嵌入部３を設け、当該突起部２、嵌入部３それぞれの着脱自在な嵌合によって相互に接合可能なブロック体とする。このブロック体は、発光体４を内蔵した発光用ブロック体１Ａ、投影模様を表示したフィルム部材Ｑを保持するマスク部６を備えた投影用ブロック体１Ｂ、反射鏡８を内蔵した反射用ブロック体１Ｃ、万華鏡１１を内蔵した万華鏡用ブロック体１Ｄ、透光反射面を有する透光体１２を内蔵した透光体用ブロック体１Ｅ、芳香剤１３を内蔵した芳香用ブロック体１Ｆそれぞれで構成する。【選択図】      図１
2006262939.tif 000002
【特許請求の範囲】
【請求項１】
透光性材によって立方体、直方体、円柱体等の所定の立体形状に構成され、一面に突起部を設け、他の一面に突起部を嵌入する嵌入部を設け、当該突起部、嵌入部それぞれの着脱自在な嵌合によって相互に接合可能なブロック体から成るブロック玩具であって、ブロック体は、内蔵された発光体と、発光体の光をブロック体外方に導くよう一面に備えたレンズ体とを有して成る発光用ブロック体としたことを特徴する装飾性を備えたブロック玩具。
【請求項２】
ブロック体は、投影模様が表示されたフィルム部材を保持するよう一面に備えたマスク部と、他の一面に備えたレンズ体とを有して成る投影用ブロック体とし、前記発光用ブロック体のレンズ体側に、投影用ブロック体のマスク部側が対向するように接合されるものとして成る請求項１記載の装飾性を備えたブロック玩具。
【請求項３】
ブロック体は、一面に備えた開口部と、内部に斜向配置させた反射鏡とを有して成る反射用ブロック体とし、前記投影用ブロック体のマスク部側に反射用ブロック体の開口部側が対向するように接合されるものとして成る請求項１または２記載の装飾性を備えたブロック玩具。
【請求項４】
ブロック体は、一面に備えた窓部と、他の一面に備えたレンズ体と、該窓部からレンズ体に架けて複数のミラーあるいはハーフミラーが角筒状となって配されて成る万華鏡とを有する万華鏡用ブロック体とし、前記発光用ブロック体のレンズ体側に、万華鏡用ブロック体の窓部側が対向するように接合されるものとして成る請求項１乃至３のいずれか記載の装飾性を備えたブロック玩具。
【請求項５】
ブロック体は、一面に備えた開口部と、該開口部を介して配された透光反射面を有する立体形状の透光体とを有して成る透光体用ブロック体とし、前記発光用ブロック体のレンズ体側、もしくは前記投影用ブロック体のレンズ体側に透光体用ブロック体の開口部側が対向するように接合されるものとして成る請求項１乃至４のいずれか記載の装飾性を備えたブロック玩具。
【請求項６】
ブロック体は、内蔵された芳香剤と、側面に形成された複数の通気窓部と、一面に備えたレンズ体とを有して成る芳香用ブロック体とし、芳香用ブロック体のレンズ体側に、前記発光用ブロック体の発光体側一面に形成した開口部が対向するように接合されるものとして成る請求項１乃至５のいずれか記載の装飾性を備えたブロック玩具。
【請求項７】
発光体は、連続点灯、断続点灯又は所定の順序等に従って点灯制御させることが可能なＬＥＤ素子から成るものとした請求項１乃至６のいずれか記載の装飾性を備えたブロック玩具。
【発明の詳細な説明】
【技術分野】
【０００１】
本発明は、着脱自在に相互に接合可能で種々に組合せ造形できる嵌合組立構造のブロック玩具に係り、特にそれ自体が発光すると共に、これらの種々の発光機能を有するブロック玩具を組み合わせることによって各種の色彩を光り輝かせて変化させることができ、しかも絵柄を投影することによる装飾装置としても用いることができる装飾性を備えたブロック玩具に関する。
【背景技術】
【０００２】
従来から、着脱自在に組み合わせられるブロック玩具として、ブロック体の一面に突起部を設けると共に、他の一面に他のブロック体に設けられている突起部を嵌入するための嵌入部を設け、ブロック体同士の接合力を高めてより複雑な形状を安定した形態のものとして造形できるようにした組立ブロック玩具が存在している。
【０００３】
しかしながら、上記従来のブロック玩具は、自ら発光することがないので面白みに欠けるので、これを解決するために、本出願人は、ブロック体自身が発光することができ、しかも、室内の装飾装置としても利用できるブロック玩具を別途提案している。
【特許文献１】特願２００３−３７８０５２
【発明の開示】
【発明が解決しようとする課題】
【０００４】
また上記の別途提案しているブロック玩具は、ブロック体の形状が著名な建築物等に似せた所定の形状を有し、かつ、発光することができるので、極めて面白みに富んだものとすることができるが、一個の形状の決まったブロック体から成るので、これを発展させて一層の変化性，意外性に富んだブロック玩具の出現が待たれていた。
【０００５】
そこで本発明は叙上のような従来存した諸事情に鑑み創出されたもので、発光することのできる発光用ブロック体を用いることで極めて面白みに富んだものとすることができると共に、この発光用ブロック体に対して、投影模様が表示されたフィルム部材を備えた投影用ブロック体を組み合わせることによって絵柄を投影することによる装飾装置として用いることができ、また発光用ブロック体に対して、万華鏡を備えた万華鏡用ブロック体を組み合わせることによって各種の色彩を光り輝かせて変化させることができ、さらに発光用ブロック体に対して、透光反射面を有する透光体を備えた透光体用ブロック体を組み合わせることによってキラキラとした輝きの如く発光効果を一段と高めて装飾性を高めることができるものとすること等により一層の変化性，意外性に富んだものとすることができる装飾性を備えたブロック玩具を提供することを目的とする。
【課題を解決するための手段】
【０００６】
上述した課題を解決するため、本発明にあっては、透光性材によって立方体、直方体、円柱体等の所定の立体形状に構成され、一面に突起部２を設け、他の一面に突起部２を嵌入する嵌入部３を設け、当該突起部２、嵌入部３それぞれの着脱自在な嵌合によって相互に接合可能なブロック体から成るブロック玩具であって、ブロック体は、内蔵された発光体４と、発光体４の光をブロック体外方に導くよう一面に備えたレンズ体５とを有して成る発光用ブロック体１Ａとしたものである。
ブロック体は、例えば現像フィルムによって投影模様が表示されたフィルム部材Ｑを保持するよう一面に備えたマスク部６と、他の一面に備えたレンズ体５とを有して成る投影用ブロック体１Ｂとし、前記発光用ブロック体１Ａのレンズ体５側に、投影用ブロック体１Ｂのマスク部６側が対向するように接合されるものとして成るものとすることができる。
ブロック体は、一面に備えた開口部７と、内部に斜向配置させた反射鏡８とを有して成る反射用ブロック体１Ｃとし、前記投影用ブロック体１Ｂのマスク部６側に反射用ブロック体１Ｃの開口部７側が対向するように接合されるものとして成るものとすることができる。
ブロック体は、一面に備えた窓部９と、他の一面に備えたレンズ体５と、該窓部９からレンズ体５に架けて複数のミラーあるいはハーフミラー１０が角筒状となって配されて成る万華鏡１１とを有する万華鏡用ブロック体１Ｄとし、前記発光用ブロック体１Ａのレンズ体５側に、万華鏡用ブロック体１Ｄの窓部９側が対向するように接合されるものとして成るものとすることができる。
ブロック体は、一面に備えた開口部７と、該開口部７を介して配された例えばダイヤモンドカット面の如き透光反射面を有する立体形状の透光体１２とを有して成る透光体用ブロック体１Ｅとし、前記発光用ブロック体１Ａのレンズ体５側、もしくは前記投影用ブロック体１Ｂのレンズ体５側に透光体用ブロック体１Ｅの開口部７側が対向するように接合されるものとして成るものとすることができる。
ブロック体は、内蔵された芳香剤１３と、側面に形成された複数の通気用窓部１４と、一面に備えたレンズ体５とを有して成る芳香用ブロック体１Ｆとし、芳香用ブロック体１Ｆのレンズ体５側に、前記発光用ブロック体１Ａの発光体４側一面に形成した開口部７が対向するように接合されるものとして成るものとすることができる。
そしてこれらの発光体ブロック体１Ａ、投影用ブロック体１Ｂ、反射用ブロック体１Ｃ、万華鏡用ブロック体１Ｄ、透光体用ブロック体１Ｅ、芳香用ブロック体１Ｆ等を、互いの突起部２，嵌入部３によって種々に組合わせて各種の立体形状の組立ブロック物とすることができる。
また、発光体４は、連続点灯、断続点灯又は所定の順序等に従って点灯制御させることが可能なＬＥＤ素子から成るものとすることができる。
【０００７】
以上のように構成された本発明に係る装飾性を備えたブロック玩具にあって、発光用ブロック体１Ａは、一面に備えたレンズ体５によって、内蔵された発光体４の光をブロック体外方に導かせる。
投影用ブロック体１Ｂは、マスク部６側を前記発光用ブロック体１Ａのレンズ体５側に対向するように接合配置されることで、点灯された発光体４の光は発光用ブロック体１Ａのレンズ体５を通して投影用ブロック体１Ｂのマスク部６材後方に照射され、マスク部６に配したフィルム部材Ｑを通過した光を投影用ブロック体１Ｂのレンズ体５を介して例えば上方側の投影位置に投影させることで、フィルム部材Ｑに各種の色で表示されている投影模様パターンを投影させる。
反射用ブロック体１Ｃは、開口部７側を前記投影用ブロック体１Ｂのマスク部６側に対向するように接合配置されることで、マスク部６に配したフィルム部材Ｑを通過した光を投影用ブロック体１Ｂのレンズ体５、および反射用ブロック体１Ｃの反射鏡８を介して当該反射用ブロック体１Ｃの側面方向投影位置に投影させることで、フィルム部材Ｑに各種の色で表示されている投影模様パターンを直角方向に投影させる。
万華鏡用ブロック体１Ｄは、窓部９側が前記発光用ブロック体１Ａのレンズ体５側に対向するように接合配置されることで、当該万華鏡用ブロック体１Ｄのレンズ体５を通して発光体４による各種の万華鏡装飾の変化した装飾模様を現出させる。
透光体用ブロック体１Ｅは、開口部７が前記発光用ブロック体１Ａのレンズ体５側、もしくは前記投影用ブロック体１Ｂのレンズ体５側に対向するように接合配置されることで、発光体４からの光が開口部７を通して透光体１２の透光反射面に照射され、透光体１２自体はその透光反射面からキラキラと輝く光を射出させる。
芳香用ブロック体１Ｆは、複数の通気用窓部１４を通じて内部の芳香剤１３による芳香を外部に発生させる。また、前記発光用ブロック体１Ａの発光体４側一面に形成した開口部７に対向するように、当該発光用ブロック体１Ａの下側に接合配置されることで、発光用ブロック体１Ａの発光体４からの光を芳香用ブロック体１Ｆのレンズ体５を通して芳香剤１３に照射させる。
【発明の効果】
【０００８】
本発明によれば、発光することのできる発光用ブロック体１Ａを用いることで極めて面白みに富んだものとすることができると共に、この発光用ブロック体１Ａに対して、投影模様が表示されたフィルム部材Ｑを備えた投影用ブロック体１Ｂを組み合わせることによって絵柄を投影することによる装飾装置として用いることができる。また発光用ブロック体１Ａに対して、万華鏡１１を備えた万華鏡用ブロック体１Ｄを組み合わせることによって各種の色彩を万華鏡模様として光り輝かせて変化させることができる。さらに発光用ブロック体１Ａに対して、透光反射面を有する透光体１２を備えた透光体用ブロック体１Ｅを組み合わせることによってキラキラとした輝きの如く発光効果を一段と高めて装飾性を高めることができる等により一層の変化性，意外性に富んだものとすることができる。
【０００９】
すなわちこれは本発明が、透光性材によって立方体、直方体、円柱体等の所定の立体形状に構成され、一面に突起部２を設け、他の一面に突起部２を嵌入する嵌入部３を設け、当該突起部２、嵌入部３それぞれの着脱自在な嵌合によって相互に接合可能なブロック体から成るブロック玩具であって、ブロック体は、内蔵された発光体４と、発光体４の光をブロック体外方に導くよう一面に備えたレンズ体５とを有して成る発光用ブロック体１Ａとしたからであり、これにより、全体として興味ある意外性及び変化性に富んだ発光が出現し、ブロック玩具としても優れ、また装飾装置としても優れたものとすることができる。
【００１０】
ブロック体は、投影模様が表示されたフィルム部材Ｑを保持するよう一面に備えたマスク部６と、他の一面に備えたレンズ体５とを有して成る投影用ブロック体１Ｂとし、前記発光用ブロック体１Ａのレンズ体５側に、投影用ブロック体１Ｂのマスク部６側が対向するように接合されるものとして成るので、所定の投影位置に絵柄を投影する装飾装置として用いることができる。すなわち、マスク部６に配したフィルム部材Ｑを通過した光を投影用ブロック体１Ｂのレンズ体５を介して上方側の投影位置に投影させることで、フィルム部材Ｑに各種の色で表示されている投影模様のパターンを鮮明なシルエットとして容易に投影させることができる。
【００１１】
ブロック体は、一面に備えた開口部７と、内部に斜向配置させた反射鏡８とを有して成る反射用ブロック体１Ｃとし、前記投影用ブロック体１Ｂのマスク部６側に反射用ブロック体１Ｃの開口部７側が対向するように接合されるものとして成るので、マスク部６に配したフィルム部材Ｑを通過した光を投影用ブロック体１Ｂのレンズ体５、および反射用ブロック体１Ｃの反射鏡８を介して当該反射用ブロック体１Ｃの側面方向投影位置に投影させることで、フィルム部材Ｑに各種の色で表示されている投影模様パターンを直角方向に投影させることができる。
【００１２】
ブロック体は、一面に備えた窓部９と、他の一面に備えたレンズ体５と、該窓部９からレンズ体５に架けて複数のミラーあるいはハーフミラー１０が角筒状となって配されて成る万華鏡１１とを有する万華鏡用ブロック体１Ｄとし、前記発光用ブロック体１Ａのレンズ体５側に、万華鏡用ブロック体１Ｄの窓部９側が対向するように接合されるものとして成るので、万華鏡用ブロック体１Ｄのレンズ体５を通して発光体４による各種の変化に富んだ万華鏡模様による装飾模様を様々に現出させることができる。
【００１３】
ブロック体は、一面に備えた開口部７と、該開口部７を介して配された透光反射面を有する立体形状の透光体１２とを有して成る透光体用ブロック体１Ｅとし、前記発光用ブロック体１Ａのレンズ体５側、もしくは前記投影用ブロック体１Ｂのレンズ体５側に透光体用ブロック体１Ｅの開口部７側が対向するように接合されるものとして成るので、キラキラとした輝きの如く周囲への乱反射的な発光効果を一段と高めて、より装飾性を高めることができる。
【００１４】
ブロック体は、内蔵された芳香剤１３と、側面に形成された複数の通気用窓部１４と、一面に備えたレンズ体５とを有して成る芳香用ブロック体１Ｆとし、芳香用ブロック体１Ｆのレンズ体５側に、前記発光用ブロック体１Ａの発光体４側一面に形成した開口部７が対向するように接合されるものとして成るので、複数の通気用窓部１４を通じて内部の芳香剤１３による芳香を外部に発生させることができる。
【００１５】
また、前記発光用ブロック体１Ａの発光体４側一面に形成した開口部７に対向するように、当該発光用ブロック体１Ａの下側に接合配置されることで、発光用ブロック体１Ａの発光体４からの光を芳香用ブロック体１Ｆのレンズ体５を通して芳香剤１３に照射させるものとなり、これによって芳香剤１３に対し紫外線による殺菌・消臭作用を発現させることができる。
【００１６】
発光体４が連続点灯、断続点灯又は所定の順序等に従って点灯制御させることが可能なＬＥＤ素子から成るので、消費電力を小さくすることができ、かつ、発光体４の長寿命化を図ることができる。しかも発光体４を連続点灯、断続点灯又は所定の順序等に従って点灯制御させるので、点灯制御により変化性，意外性に富んだ発光が出現可能となり、装飾性をより高めることができる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下図面を参照して本発明を実施するための最良の一形態を説明すると、図において示される符号１Ａ，１Ｂ，１Ｃ，１Ｄ，１Ｅ，１Ｆは、略立方体を呈する中空状のブロック体であり、合成樹脂製の無色透明もしくは有色透明、または所謂半透明等の所定の透光性材から作られている。このブロック体の一面には、例えば四隅に突起部２が設けられ、好ましくは、この一面に対向する他の一面には、これら突起部２を嵌入するための筒形突起状の嵌入部３が設けられており、当該突起部２、嵌入部３それぞれの着脱自在な嵌合によって相互に接合され、組立てられるようにしてある。
【００１９】
尚、これらブロック体１Ａ，１Ｂ，１Ｃ，１Ｄ，１Ｅ，１Ｆは、直線上に沿って各ブロック体１Ａ，１Ｂ，１Ｃ，１Ｄ，１Ｅ，１Ｆが下から順次積み重なるようにして接合した状態にしたり、あるいは２つまたは４つ等の複数のブロック体１Ａ，１Ｂ，１Ｃ，１Ｄ，１Ｅ，１Ｆに跨って重なるようにして１つのブロック体が接合した状態にしたり、さらにはこれらのような接合状態が適宜組み合わされて接合した状態にしたり等することで任意の造形形態が組立、形成されるように配置されるものとしてある。
【００２０】
ブロック体１Ａ，１Ｂ，１Ｃ，１Ｄ，１Ｅ，１Ｆは、図１に示すように、発光体４を内蔵した発光用ブロック体１Ａ（図１（ａ）参照）、投影模様が表示されたフィルム部材Ｑを保持するマスク部６を備えた投影用ブロック体１Ｂ（図１（ｂ）参照）、反射鏡８を内蔵した反射用ブロック体１Ｃ（図１（ｃ）参照）、万華鏡１１を内蔵した万華鏡用ブロック体１Ｄ（図１（ｄ）参照）、透光反射面を有する透光体１２を内蔵した透光体用ブロック体１Ｅ（図１（ｅ）参照）、芳香剤１３を内蔵した芳香用ブロック体１Ｆ（図１（ｆ）参照）の概ね６種類から構成されている。
【００２１】
そして、例えば発光用ブロック体１Ａに対して投影用ブロック体１Ｂを組み合わせることによって絵柄を投影する装飾装置として用いたり（図２参照）、また発光用ブロック体１Ａに対して万華鏡用ブロック体１Ｄを組み合わせることによって各種の色彩を光り輝かせて変化させるものとしたり（図４参照）、さらに発光用ブロック体１Ａに対して透光反射面を有する透光体１２を内蔵した透光体用ブロック体１Ｅを組み合わせることによってキラキラとした輝きの如く発光効果を現出させるものとしたりする（図５参照）等、各ブロック体を相互に適宜組み合わせられるようにしてある。
【００２２】
発光用ブロック体１Ａは、内蔵された発光体４と、発光体４の光をブロック体外方に導くよう一面に備えたレンズ体５とを有して成る。すなわち、図２に示すように、発光用ブロック体１Ａの底壁面中央部には、発光体４に相当する赤色、青色又は黄色等の所定の発色光を放つことのできるＬＥＤ素子を装着するための円枠状の装着部１５が設けられ、その装着部１５上面に押え片１６を装着してＬＥＤ素子の如き発光体４をしっかりと固定するようにしてある。
【００２３】
そして、装着部１５下面には、釦型の電池１７を収納するための電池収納部１８が形成され、この電池収納部１８に収納された電池１７は、取外し可能に設けられる蓋体１９で保持されるように構成されている。したがって、蓋体１９を外すと電池１７を交換することができる。
【００２４】
また、装着部１５の側面に設けられたスイッチ装着部２０にスイッチ２１が挿入するようにして設けられ、外部からオン・オフの操作ができるように構成されている。このスイッチ２１は、発光体４を連続点灯させる以外に、例えば発光体４を断続点灯または所定の順序等に従って点灯制御させる図示しない制御機構を作動させることができるようにしてある。
【００２５】
一方、発光用ブロック体１Ａの上壁面中央部には、筒枠体の端部開口側にレンズ体５を配置して成るレンズ鏡筒部５Ａが形成され、発光体４の光を発光用ブロック体１Ａの外方に導くようにしてある。
【００２６】
尚、発光体４として、ここではＬＥＤ素子を用いているが、豆電球等の他の発光体４としてもよい。ただ、発光体４としてＬＥＤ素子を用いた場合は、消費出力が小さく、しかも長寿命化を図ることができ、さらに発熱を抑えることができる。
【００２７】
投影用ブロック体１Ｂは、例えば現像フィルムにて、各種キャラクター、風景、模様その他適宜な投影模様が表示されたフィルム部材Ｑを保持するよう一面に備えたマスク部６と、他の一面に備えたレンズ体５とを有して成るものとし、前記発光用ブロック体１Ａのレンズ体５側に、投影用ブロック体１Ｂのマスク部６側が対向するように接合される。
【００２８】
すなわち、マスク部６は、図２に示すように、投影用ブロック体１Ｂの底壁面中央部に設けられた環状の嵌合突起部２２の中央に透光用の開口部７が形成され、この嵌合突起部２２内側に、例えば円形状のフィルム部材Ｑを収容してから、中央に筒状の開口部７が突設された円形カバー体２３によって嵌合突起部２２に上側から嵌め込むことで両開口部７相互間にフィルム部材Ｑが保持されるようにしてある。
【００２９】
一方、投影用ブロック体１Ｂの上壁面中央部には、筒枠体の端部開口側にレンズ体５を配置して成るレンズ鏡筒部５Ａが形成され、フィルム部材Ｑによる発光体４の投影光を投影用ブロック体１Ｂの上側外方に導くようにしてある。
【００３０】
フィルム部材Ｑは、耐熱合成樹脂材製の部材によって略円形薄膜状に形成されており、フィルム部材Ｑの中央には例えばラビットの耳、目、鼻等の内面パターンを各色でもって現像・焼付けフィルム等によって表示構成すると共に、内側パターンの周囲を円形状に囲繞するように黒色の印刷部分を設けることによって形成された黒縁式パターンが当該フィルム部材Ｑに形成されている。
【００３１】
反射用ブロック体１Ｃは、一面に備えた開口部７と、内部に斜向配置させた反射鏡８とを有して成り、前記投影用ブロック体１Ｂのマスク部６側に反射用ブロック体１Ｃの開口部７側が対向するように接合される。すなわち、図３に示すように、反射用ブロック体１Ｃの底壁面中央部には、投影用ブロック体１Ｂまたは発光用ブロック体１Ａにおけるレンズ体５の外径よりも若干小さな開口部７が形成され、この開口部７に対向して反射鏡８が反射用ブロック体１Ｃ内部に斜向配置させてある。こうすることでフィルム部材Ｑによる発光体４の投影光を反射鏡８を介して反射用ブロック体１Ｃの側面から外方に導くようにしてある。
【００３２】
万華鏡用ブロック体１Ｄは、一面に備えた窓部９と、他の一面に備えたレンズ体５と、該窓部９からレンズ体５に架けて複数のミラーあるいはハーフミラー１０が角筒状となって配されると共に、各種形状・色彩・模様等を呈する切片が封入されて成る万華鏡１１とを有し、前記発光用ブロック体１Ａのレンズ体５側に、万華鏡用ブロック体１Ｄの窓部９側が対向するように接合される。
【００３３】
すなわち、図４に示すように、万華鏡用ブロック体１Ｄの底壁面中央部に設けられた環状の窪み部２４を覆うように、当該窪み部２４上側に透光部材による円形状の支持板２５が固着されることで円形状の窓部９が形成されると共に、この窓部９に対向する上壁面中央には、筒枠体の端部開口側にレンズ体５を配置して成るレンズ鏡筒部５Ａが形成されている。そして、支持板２５の上面には、角形囲繞形状の支持枠部２６が設けられ、略細長台形状の複数のミラーあるいはハーフミラー１０のそれぞれ狭幅な一端が支持枠部２６に嵌合し、ミラーあるいはハーフミラー１０のそれぞれ広幅な他端がレンズ鏡筒部５Ａの筒枠体に角筒状となるように嵌め込まれることで、レンズ体５側に向けて次第に広がった万華鏡１１が形成され、このレンズ体５によって万華鏡１１の光を万華鏡用ブロック体１Ｄの上側外方に導くようにしてある。
【００３４】
尚、略細長台形状の複数のミラーあるいはハーフミラー１０は、当該ミラーあるいはハーフミラー１０のそれぞれ広幅な一端が支持枠部２６に嵌合し、ミラーあるいはハーフミラー１０のそれぞれ狭幅な他端がレンズ鏡筒部５Ａの筒枠体に角筒状となるように嵌め込まれることで、レンズ体５側に向けて次第に縮まった万華鏡１１が形成されるようにしても良い。
【００３５】
透光体用ブロック体１Ｅは、一面に備えた開口部７と、該開口部７を介して配された例えばダイヤモンドカット面の如き、多面的な透光反射面を有する立体形状の透光体１２とを有して成り、前記発光用ブロック体１Ａのレンズ体５側、もしくは前記投影用ブロック体１Ｂのレンズ体５側に透光体用ブロック体１Ｅの開口部７側が対向するように接合される。
【００３６】
すなわち、図５に示すように、透光体用ブロック体１Ｅの底壁面中央部には、投影用ブロック体１Ｂまたは発光用ブロック体１Ａにおけるレンズ体５の外径よりも若干小さな開口部７が形成され、この開口部７に、透光反射面を有する立体形状の透光体１２の尖端面側を配置させてある。そして、発光用ブロック体１Ａの上に投影用ブロック体１Ｂを接合し、投影用ブロック体１Ｂの上にこの透光体用ブロック体１Ｅを接合することによって、投影用ブロック体１Ｂのフィルム部材Ｑによる発光体４の投影光を透光体１２を介して透光体用ブロック体１Ｅの周囲から乱反射状態で外方放射状に導くようにしてある。
【００３７】
尚、発光用ブロック体１Ａの上にこの透光体用ブロック体１Ｅを直接接合することによって、発光体４の光を透光体１２を介して透光体用ブロック体１Ｅの周囲から外方放射状に導くようにしても良い。
【００３８】
芳香用ブロック体１Ｆは、内蔵された芳香剤１３と、側面に形成された複数の通気用窓部１４と、一面に備えたレンズ体５とを有して成り、芳香用ブロック体１Ｆのレンズ体５側に、前記発光用ブロック体１Ａの発光体４側一面に形成した開口部７が対向するように接合される。すなわち、図６に示すように、芳香用ブロック体１Ｆの底壁面には、袋に封入されて成る芳香剤１３が置かれ、この芳香剤１３の匂いを芳香用ブロック体１Ｆ外部に導くために、当該芳香用ブロック体１Ｆの側面全体には縦長スリット状の複数の通気用窓部１４が形成されている。
【００３９】
一方、芳香用ブロック体１Ｆの上壁面中央部には、筒枠体の端部開口側に凸レンズを配置して成るレンズ鏡筒部５Ａが形成され、芳香用ブロック体１Ｆの上側に接合されている発光用ブロック体１Ａの発光体４側一面に形成した開口部７を介して発光体４による光を芳香用ブロック体１Ｆ内部の芳香剤１３に照射させるようにしてある。尚、芳香用ブロック体１Ｆにレンズ鏡筒部５Ａが形成されていなくても良い。
【００４０】
また、図７には、芳香用ブロック体１Ｆの他例が示されている。すなわち、芳香用ブロック体１Ｆの底壁面中央部には、周囲に複数の開口部７を備えた中空円柱状のケーシング２７を備え、このケーシング２７内に、袋に封入されて成る芳香剤１３が収容されるものとしてある。
【００４１】
次に、以上のように構成された最良の形態についての使用、組立、動作の一例について説明すると、複数の発光用ブロック体１Ａを、例えば直線上に沿って下から順次積み重なるようにして接合した状態にしたり、あるいは２つまたは４つ等の複数の発光用ブロック体１Ａに跨って重なるようにして１つの発光用ブロック体１Ａが接合した状態にしたり、さらにはこれらのような接合状態が適宜組み合わされて接合した状態にしたり等して組立てることで任意の造形形態を形成する。
【００４２】
このとき、スイッチ２１をオンすることによって発光用ブロック体１Ａ自体が点灯し、しかも一面に備えたレンズ体５によって、内蔵された発光体４の光を発光用ブロック体１Ａの外方に導出することで、任意の光造形が現出する。
【００４３】
また、投影装置として使用する場合には、投影用ブロック体１Ｂを、発光用ブロック体１Ａのレンズ体５側に当該投影用ブロック体１Ｂのマスク部６が対向するように接合配置することで、点灯された発光体４の光は発光用ブロック体１Ａのレンズ体５を通して投影用ブロック体１Ｂのマスク部６材後方に照射し、マスク部６に配したフィルム部材Ｑを通過した光を投影用ブロック体１Ｂのレンズ体５を介して上方側の投影位置に投影させるものとなり、これによってフィルム部材Ｑに各種の色で表示されている投影模様のパターンが投影されるものとなる。
【００４４】
このときフィルム部材Ｑの投影模様のパターンを直角方向に投影させる場合には、反射用ブロック体１Ｃを、前記投影用ブロック体１Ｂのマスク部６側に当該反射用ブロック体１Ｃの開口部７側が対向するように接合配置することで、マスク部６に配したフィルム部材Ｑを通過した光を投影用ブロック体１Ｂのレンズ体５、および反射用ブロック体１Ｃの反射鏡８を介して当該反射用ブロック体１Ｃの側面方向投影位置に投影させる。
【００４５】
また、万華鏡１１として使用する場合には、万華鏡用ブロック体１Ｄを、前記発光用ブロック体１Ａのレンズ体５側に当該万華鏡用ブロック体１Ｄの窓部９側が対向するように接合配置することで、当該万華鏡用ブロック体１Ｄのレンズ体５を通して万華鏡１１による装飾性が現出される。
【００４６】
さらに、透光反射面を有する透光体１２を内蔵した透光体用ブロック体１Ｅを使用する場合には、透光体用ブロック体１Ｅを、投影用ブロック体１Ｂのレンズ体５側に当該透光体用ブロック体１Ｅ下側の開口部７が対向するように接合配置することで、発光体４によってマスク部６に照射された光が開口部７を通して透光体１２の透光反射面を照射するものとなり、投影用ブロック体１Ｂのフィルム部材Ｑによる発光体４の投影光を透光体１２を介して透光体用ブロック体１Ｅの周囲から外方放射状に導かれ、透光体１２自体はその透光反射面からキラキラと輝く投影光が射出されるものとなる。
【００４７】
複数の通気用窓部１４を通じて内部の芳香剤１３による芳香を外部に発生させるための芳香用ブロック体１Ｆを使用する場合には、発光用ブロック体１Ａの発光体４側一面に形成した開口部７を当該芳香用ブロック体１Ｆのレンズ体５側に対向するように接合すれば、発光用ブロック体１Ａの発光体４からの光を芳香用ブロック体１Ｆのレンズ体５を通して芳香剤１３に照射させるものとなり、当該芳香剤１３に対し紫外線による殺菌・消臭作用を発現させるものとなる。尚、芳香用ブロック体１Ｆの上に発光用ブロック体１Ａを接合配置させても良い。
【００４８】
また、これらの発光体ブロック体１Ａ、投影用ブロック体１Ｂ、反射用ブロック体１Ｃ、万華鏡用ブロック体１Ｄ、透光体用ブロック体１Ｅ、芳香用ブロック体１Ｆ等を、互いの突起部２，嵌入部３によって種々に組合わせて各種の立体形状の組立ブロック物としても良い。このとき、発光用ブロック１Ａによる発光作用を他のブロック体１Ｂ，１Ｃ，１Ｄ，１Ｅ，１Ｆを経て更にこれらに連結される他のブロック体１Ｂ，１Ｃ，１Ｄ，１Ｅ，１Ｆを適宜に発光させるようにするのであり、その組合せによる光経路の変更、ブロック体の各面における光輝作用で種々な面白みを発現させるように組合せを考察して組み立てれば良い。
【図面の簡単な説明】
【００４９】
【図１】本発明を実施するための最良の形態におけるブロック体を示すもので、（ａ）は発光用ブロック体の斜視図、（ｂ）は投影用ブロック体の斜視図、（ｃ）は反射用ブロック体の斜視図、（ｄ）は万華鏡用ブロック体の斜視図、（ｅ）は透光体用ブロック体の斜視図、（ｆ）は芳香用ブロック体の斜視図である。
【図２】同じく発光用ブロック体の上に投影用ブロック体を接合した状態の一部切欠斜視図である。
【図３】同じく発光用ブロック体の上に投影用ブロック体を接合し、且つ投影用ブロック体の上に反射用ブロック体を接合した状態の一部切欠斜視図である。
【図４】同じく発光用ブロック体の上に万華鏡用ブロック体を接合した状態の一部切欠斜視図である。
【図５】同じく発光用ブロック体の上に投影用ブロック体を接合し、且つ投影用ブロック体の上に透光体用ブロック体を接合した状態の一部切欠斜視図である。
【図６】同じく発光用ブロック体の下に芳香用ブロック体を接合した状態の一部切欠斜視図である。
【図７】同じく発光用ブロック体の下に、他例による構造の芳香用ブロック体を接合した状態の一部切欠斜視図である。
【符号の説明】
【００５０】
Ｑ…フィルム部材
１Ａ…発光用ブロック体                  １Ｂ…投影用ブロック体
１Ｃ…反射用ブロック体                  １Ｄ…万華鏡用ブロック体
１Ｅ…透光体用ブロック体                １Ｆ…芳香用ブロック体
２…突起部                              ３…嵌入部
４…発光体                              ５…レンズ体
５Ａ…レンズ鏡筒部                      ６…マスク部
７…開口部                              ８…反射鏡
９…窓部                                １０…ミラーあるいはハーフミラー
１１…万華鏡                            １２…透光体
１３…芳香剤                            １４…通気用窓部
１５…装着部                            １６…押え片
１７…電池                              １８…電池収納部
１９…蓋体                              ２０…スイッチ装着部
２１…スイッチ                          ２２…嵌合突起部
２３…円形カバー体                      ２４…窪み部
２５…支持板                            ２６…支持枠部
２７…ケーシング
【図１】
2006262939.tif 000003
【図２】
2006262939.tif 000004
【図３】
2006262939.tif 000005
【図４】
2006262939.tif 000006
【図５】
2006262939.tif 000007
【図６】
2006262939.tif 000008
【図７】
2006262939.tif 000009